(57)【要約】【課題】細かい部分も滑らかで美しいグラデーション効果が得られ、しかも、グラデーション状の照明の照明状態を可変とするグラデーション照明装置を提供する。【解決手段】本発明のグラデーション照明装置では、メータパネル２が、面発光光源６からの光を略平面状に発光させる発光面Ｓを有する拡散板２Ｃと、複数の遮光性傾斜リング部材２Ｂ１〜２Ｂ５とを有し、傾斜リング部材２Ｂ１〜２Ｂ５が発光面Ｓに対して傾斜した状態で、発光面Ｓに沿って一定間隔で並設され、かつ各隣接する傾斜リング部材２Ｂ１〜２Ｂ５が正面側から見て各々オーバーラップした状態で配置されて、発光面Ｓから放射された光が各隣接する傾斜リング部材２Ｂ１〜２Ｂ５の隙間Ｇを通過して、傾斜リング部材２Ｂ１〜２Ｂ５の伸びる方向に沿って正面側に導光され、正面側から見て各隣接する傾斜リング部材２Ｂ１〜２Ｂ５上のオーバーラップしていない複数の視認可能領域Ｖを斜め方向から間接照明することにより、各視認可能領域Ｖが各々グラデーション状に照明される。【選択図】図３
2010117321.tif 000002
【特許請求の範囲】
【請求項１】
車両用メータのメータパネルと該メータパネルを背面側から透過照明する光源とからなるグラデーション照明装置であって、
前記メータパネルが、前記光源からの光を略平面状に発光させる発光面を有する発光体と、複数の遮光性傾斜板とを有し、
該複数の傾斜板が前記発光面に対して傾斜した状態で該発光面に沿って一定間隔で並設され、かつ各隣接する前記傾斜板が正面側から見て各々オーバーラップした状態で配置されて、
前記発光面から放射された光が前記各隣接する傾斜板の隙間を通過して、該複数の傾斜板の伸びる方向に沿って正面側に導光され、正面側から見て前記各隣接する傾斜板上のオーバーラップしていない複数の視認可能領域を斜め方向から間接照明することにより、該複数の各視認可能領域が各々グラデーション状に照明されることを特徴とするグラデーション照明装置。
【請求項２】
前記発光面から放射される照射光の強度を変化させることにより、前記各視認可能領域に対するグラデーション状の照明の照明状態を変化させることを特徴とする請求項１に記載のグラデーション照明装置。
【請求項３】
前記複数の傾斜板が、それぞれ互いに径の異なるリング状を呈すると共に該複数の傾斜板が正面側から見て同心円状に隣接配置されていることを特徴とする請求項１または請求項２に記載のグラデーション照明装置。
【発明の詳細な説明】
【技術分野】
【０００１】
本発明は、車両用メータのメータパネルをグラデーション状に発光させるグラデーション照明装置に関する。
【背景技術】
【０００２】
従来から、車両用メータのメータパネルをグラデーション状に発光させるグラデーション照明装置が知られている（特許文献１等参照）。
【０００３】
例えば、特許文献１に記載の車両用表示装置では、メータパネルの文字盤に、細かいドット状の印刷が、場所によってドット密度を連続的に変えて印刷されており、この文字盤を背面側から透過照明することによって文字盤をグラデーション状に発光させている。
【特許文献１】特開２００７−９３３６８号公報
【発明の開示】
【発明が解決しようとする課題】
【０００４】
しかしながら、特許文献１の車両用表示装置では、グラデーション状に発光する部分において、明るく発光する部分は、暗く発光する部分に比べてドット密度が疎な状態となっているので、明るく発光する部分はドットの印刷が視認可能となって、メータパネルの見映えが損なわれるという問題があった。
【０００５】
そこで、本発明では、細かい部分も滑らかで美しいグラデーション効果が得られ、しかも、グラデーション状の照明の照明状態を可変とするグラデーション照明装置を提供することを目的としている。
【課題を解決するための手段】
【０００６】
上記目的を達成するために請求項１に記載された発明は、車両用メータのメータパネルと該メータパネルを背面側から透過照明する光源とからなるグラデーション照明装置であって、前記メータパネルが、前記光源からの光を略平面状に発光させる発光面を有する発光体と、複数の遮光性傾斜板とを有し、該複数の傾斜板が前記発光面に対して傾斜した状態で該発光面に沿って一定間隔で並設され、かつ各隣接する前記傾斜板が正面側から見て各々オーバーラップした状態で配置されて、前記発光面から放射された光が前記各隣接する傾斜板の隙間を通過して、該複数の傾斜板の伸びる方向に沿って正面側に導光され、正面側から見て前記各隣接する傾斜板上のオーバーラップしていない複数の視認可能領域を斜め方向から間接照明することにより、該複数の各視認可能領域が各々グラデーション状に照明されるグラデーション照明装置を特徴としている。
【０００７】
そして、請求項２に記載された発明は、前記発光面から放射される照射光の強度を変化させることにより、前記各視認可能領域に対するグラデーション状の照明の照明状態を変化させる請求項１に記載のグラデーション照明装置を特徴としている。
【０００８】
また、請求項３に記載された発明は、前記複数の傾斜板が、それぞれ互いに径の異なるリング状を呈すると共に該複数の傾斜板が正面側から見て同心円状に隣接配置されている請求項１または請求項２に記載のグラデーション照明装置を特徴としている。
【発明の効果】
【０００９】
このように構成された本発明の請求項１の発明では、複数の視認可能領域を斜め方向から間接照明することにより、これらの各視認可能領域が各々グラデーション状に照明されるので、ドット状の印刷のドット密度を場所によって変える従来例の車両用表示装置とは異なり、細かい部分であっても滑らかで美しいグラデーション効果が得られる。
【００１０】
また、複数の傾斜板が発光面に対して傾斜した状態で並設されているので、正面側から見た際にメータパネルに奥行き感を表現することができる。
【００１１】
そして、本発明の請求項２の発明では、発光面から放射される照射光の強度を変化させることにより、各視認可能領域に対するグラデーション状の照明の照明状態を変化させることができるので、グラデーション照明装置自体の構成を変更することなく、簡単にグラデーション状の照明の照明状態を変化させることができる。
【００１２】
例えば、車両用メータが車両のタコメータである場合には、エンジンの回転数に応じて発光面から放射される照射光の強度を変化させることにより、様々な視覚的効果や意匠上の効果を提供できる。
【００１３】
さらに、本発明の請求項３の発明では、それぞれ互いに径の異なる複数のリング状の傾斜板が同心円状に隣接配置されているので、各傾斜板が発光面に対して同心円の半径方向内側に向かって傾斜している構成では、各視認可能領域が外周部から中心部に向けて徐々に暗くなるようなグラデーション状の照明効果が得られる。
【００１４】
また、各傾斜板が発光面に対して同心円の半径方向外側に向かって傾斜している構成では、各視認可能領域が中心部から外周部に向けて徐々に暗くなるようなグラデーション状の照明効果が得られる。
【発明を実施するための最良の形態】
【００１５】
本発明に係る実施の形態の実施例に基づいて、本発明のグラデーション照明装置を説明する。
【実施例１】
【００１６】
〈構成〉
図１において、符号１は車両のメータ装置、符号２は本実施例に係るメータパネル、符号３は目盛りが印刷されたメータパネル２の目盛部、符号４はグラデーション状に発光するメータパネル２のグラデーション発光部、符号５はメータ装置１の指針部である。
【００１７】
また、図２（ｂ）または図２（ｃ）において、符号６は例えば有機ＥＬなどの面発光光源、符号７は面発光光源６を支持する基板である。
【００１８】
本実施例のグラデーション照明装置は、メータパネル２と、このメータパネル２を透過照明する面発光光源６とによって構成されている。
【００１９】
図２（ｂ）に示すように、メータパネル２と面発光光源６と基板７とは、この順で当接配置されており、これらは図示が省略されたメータ装置１のハウジング部に固定されている。
【００２０】
図２（ｃ）に示すように、メータパネル２は、リング状の目盛部材２Ａと、５個の遮光性傾斜リング部材２Ｂ１〜２Ｂ５と、拡散板２Ｃとによって構成されている。
【００２１】
拡散板２Ｃは、傾斜リング部材２Ｂ１〜２Ｂ５を支持すると共に、背面に配置された面発光光源６からの光を拡散し、略平面状の発光面Ｓから放射させる。
【００２２】
目盛部材２Ａは透明な樹脂によって形成されており、目盛部材２Ａの表面側には、目盛部３の文字部分が光を透過するように白抜きの印刷が施されている。
【００２３】
傾斜リング部材２Ｂ１〜２Ｂ５は、遮光性を有し、かつ光をよく反射する樹脂、例えば白色の樹脂などにより形成されている。
【００２４】
傾斜リング部材２Ｂ１〜２Ｂ５は、それぞれ互いに径の異なるリング状で傾斜角２０°の略裁頭円錐側面形状を呈しており、これらは、この順に径が大きくなっている。
【００２５】
目盛部材２Ａの内径は傾斜リング部材２Ｂ５の外径より大きく、目盛部材２Ａの内周縁には傾斜角２０°の逆テーパーが施されている。
【００２６】
傾斜リング部材２Ｂ１〜２Ｂ５の各拡径側端部には、縮径側から拡径側に向かって延びる円筒状の嵌合部２Ｂ１ａ〜２Ｂ５ａがそれぞれ形成されており、拡散板２Ｃの表面側には、嵌合部２Ｂ１ａ〜２Ｂ５ａに対応する位置に、円形の嵌合溝２Ｃ１ｂ〜２Ｃ５ｂが、それぞれ同心円状に形成されている。
【００２７】
また、拡散板２Ｃには、指針部５用の軸穴２Ｃａが上記同心円の中心位置に形成されており、面発光光源６と基板７とには、軸穴２Ｃａに対応する位置に、それぞれ軸穴６ａ，７ａが形成されている。
【００２８】
そして、傾斜リング部材２Ｂ１〜２Ｂ５の各嵌合部２Ｂ１ａ〜２Ｂ５ａが、それぞれ嵌合溝２Ｃ１ｂ〜２Ｃ５ｂに嵌合固定されている。
【００２９】
したがって、正面側から見ると、傾斜リング部材２Ｂ１〜２Ｂ５は、この順に内側から外側へと同心円状にかつ等間隔に隣接配置されており、傾斜リング部材２Ｂ５のさらに外側には、上記同心円と同心に目盛部材２Ａが配置されている。
【００３０】
また、図２（ｂ）に示すように、図２（ａ）のＡ−Ａ断面を見ると、傾斜リング部材２Ｂ１〜２Ｂ５は発光面Ｓに対して傾斜した状態で、この発光面Ｓに沿って一定間隔で拡散板２Ｃに並設されている。
【００３１】
そして、各隣接する傾斜リング部材２Ｂ１〜２Ｂ５および目盛部材２Ａは、それぞれオーバーラップした状態で配置されている。
【００３２】
したがって、正面側から見た際に、拡散板２Ｃからの直接光は傾斜リング部材２Ｂ１〜２Ｂ５および目盛部材２Ａによって遮光される。
【００３３】
〈作用効果〉
図３（ａ）に示すように、発光面Ｓから放射された光が各隣接する傾斜リング部材２Ｂ１〜２Ｂ５の隙間Ｇを通過して、この傾斜リング部材２Ｂ１〜２Ｂ５の伸びる方向に沿って正面側に導光される。
【００３４】
そして、正面側から見て各隣接する傾斜リング部材２Ｂ１〜２Ｂ５上のオーバーラップしていない複数の視認可能領域Ｖを斜め方向から間接照明することにより、図３（ｂ）に示すように、各視認可能領域Ｖが、上記傾斜リング部材２Ｂ１〜２Ｂ５の伸びる方向に沿って正面側に導光される光によって、それぞれグラデーション状に照明される。
【００３５】
このように、本実施例のグラデーション照明装置では、複数の視認可能領域Ｖを斜め方向から間接照明することにより、これらの各視認可能領域Ｖが、それぞれグラデーション状に照明されるので、ドット状の印刷のドット密度を場所によって変える従来例の車両用表示装置とは異なり、細かい部分であっても滑らかで美しいグラデーション効果が得られる。
【００３６】
特に、本実施例では、各傾斜リング部材２Ｂ１〜２Ｂ５が発光面Ｓに対して同心円の半径方向内側に向かって傾斜しているので、各視認可能領域Ｖが外周部から中心部に向けて徐々に暗くなる複数の同心円状のグラデーション状の照明効果が得られ、グラデーション発光部４には、図１に示すように、外周部から中心部に向けて徐々に暗くなる５つの同心円状のグラデーションリングが浮き出て見える。
【００３７】
このように、本実施例のグラデーション照明装置では、中心部への収束感がある立体的なデザインを表現することができる。
【００３８】
また、本実施例のグラデーション照明装置では、発光面Ｓから放射される照射光の強度を変化させることにより、図４（ａ）〜図４（ｃ）に示すように、各視認可能領域Ｖに対する見かけのグラデーション状の照明の照明状態を変化させることができるので、グラデーション照明装置自体の構成を変更することなく、簡単にグラデーション状の照明の照明状態を変化させることができ、グラデーション状の発光を一層変化に富んだものとすることができる。
【００３９】
例えば、メータ装置１が車両のタコメータである場合には、エンジンの回転数に応じて発光面Ｓから放射される照射光の強度を変化させることにより、エンジンの回転数に応じてグラデーション状の照明の照明状態を変化させることができる。
【００４０】
このように、本実施例のグラデーション照明装置では、車両のメータ装置などに、様々な視覚的効果や意匠上の効果を付与することができる。
【００４１】
しかも、本実施例のグラデーション照明装置では、図５に示すように、例えば、傾斜リング部材２Ｂ４，２Ｂ５に注目すると、これらの間の奥行き距離Ｌ１，Ｌ２が、車両の乗員の視認角度θｖによって変化するので、視認角度θｖが変わると奥行き感が変化して見え、見る人には一層の奥行き感が感じられる。
【００４２】
このように、本実施例のグラデーション照明装置では、複数の傾斜リング部材２Ｂ１〜２Ｂ５が、拡散板２Ｃの発光面Ｓに対して傾斜した状態で並設されているので、正面側から見た際にメータパネル２に奥行き感を表現することができる。
【実施例２】
【００４３】
実施例２のグラデーション照明装置について、実施例１とは異なる部分を中心に説明する。なお、実施例１と同様の構成および、その作用効果については説明を省略する。
【００４４】
〈構成〉
実施例２のグラデーション照明装置は、実施例１と光源の構成が異なっている。
【００４５】
図６に示すように、実施例２のグラデーション照明装置は、複数のＬＥＤ６´と回路基板７´とを有しており、複数のＬＥＤ６´は回路基板７´の表面側に取り付けられている。
【００４６】
そして、回路基板７´は、メータパネル２の拡散板２Ｃの背面側に、拡散板２Ｃに平行に空隙を設けて対向配置されている。
【００４７】
〈作用効果〉
図６に示すように、本実施例のグラデーション照明装置では、ＬＥＤ６´の前方に空隙を介して拡散板２Ｃが設けられており、ＬＥＤ６´が放射する光は、空隙内で拡がった後、拡散板２Ｃによって拡散されるので、拡散板２Ｃの発光面Ｓは、ほとんど面状に発光する。
【００４８】
しかしながら、ＬＥＤ６´は、その特性上、発光光軸を中心とする強い指向性を有しているので、拡散板２Ｃを介しても、拡散板２ＣのＬＥＤ６´の存在する位置が、ある程度点光りしてしまう。
【００４９】
本実施例のグラデーション照明装置では、各隣接する傾斜リング部材２Ｂ１〜２Ｂ５および目盛部材２Ａが、正面側から見て、それぞれオーバーラップした状態で配置されており、拡散板２Ｃの点光りする位置が傾斜リング部材２Ｂ１〜２Ｂ５および目盛部材２Ａによって覆われているので、正面側から直接、点光りは見えない。
【００５０】
以上、図面を参照して、本発明に係る実施の形態の実施例を詳述してきたが、具体的な構成は、この実施の形態に限らず、本発明の要旨を逸脱しない程度の設計的変更は、本発明に含まれるものである。
【００５１】
なお、実施例に係るメータパネル２では、各傾斜リング部材２Ｂ１〜２Ｂ５が発光面Ｓに対して同心円の半径方向内側に向かって傾斜している構成であるが、各傾斜リング部材２Ｂ１〜２Ｂ５が発光面Ｓに対して同心円の半径方向外側に向かって傾斜している構成としてもよく、この場合、各視認可能領域Ｖが中心部から外周部に向けて徐々に暗くなるようなグラデーション状の照明効果が得られるので、外周部への広がり感がある立体的なデザインを表現することができる。
【００５２】
また、実施例に係る傾斜リング部材２Ｂ１〜２Ｂ５は、同心円上に配置されたリング状の部材であるが、必ずしもリング状の部材である必要はない。例えば、発光面Ｓに対して斜めに平行配置された平板状の部材であってもよい。
【００５３】
さらに、実施例１では、タコメータの回転数に応じてグラデーション状の照明の照明状態を変化させたが、このような対応は回転数に限るものではなく、各種メータの指示内容に応じてグラデーション状の照明の照明状態を変化させるものであってもよい。
【００５４】
また、メータの指示内容とは無関係に、奥行き感の変化や斬新な視覚的効果を演出するために、グラデーション状の照明の照明状態を変化させてもよい。
【図面の簡単な説明】
【００５５】
【図１】実施例１および実施例２に係る車両のメータ装置の正面図である。
【図２】実施例１および実施例２に係るメータパネルを示す図であり、図（ａ）はメータパネルの正面図、図（ｂ）は図（ａ）のＡ−Ａ断面の断面図、図（ｃ）は図（ｂ）の分解図である。
【図３】図（ａ）は図２（ｂ）に対応する図２（ａ）のＡ−Ａ断面の断面図であり、図（ｂ）は図１の領域Ｄの拡大図である。
【図４】図１の領域Ｄの拡大図であり、図（ａ）〜図（ｃ）は、この順で、それぞれメータパネルに照射される照射光の強度を増加させた場合のグラデーション状の照明の照明状態の変化の様子を示した図である。
【図５】図２（ｂ）のＢ部分の拡大図であり、視認角度によって奥行き感が変化する様子を示す図である。
【図６】図（ａ）および図（ｂ）は、実施例２のグラデーション照明装置を示す断面図である。
【符号の説明】
【００５６】
１                      メータ装置（車両用メータ）
２                      メータパネル
２Ｂ１〜２Ｂ５  傾斜リング部材（傾斜板）
２Ｃ                    拡散板（発光体）
６                      面発光光源（光源）
６´                    ＬＥＤ（光源）
Ｇ                      隙間
Ｓ                      発光面
Ｖ                      視認可能領域
【図１】
2010117321.tif 000003
【図２】
2010117321.tif 000004
【図３】
2010117321.tif 000005
【図４】
2010117321.tif 000006
【図５】
2010117321.tif 000007
【図６】
2010117321.tif 000008